(57)【要約】【課題】パネル電装部品の位置及び向きの規定が簡単且つ正確に行えると共に、パネル電装部品の配列の自由度を高めて、機種による基板及びパネル電装部品の共用化を容易にする。【解決手段】パネル板１０の下方にベース体２０、基板３０が順に配設される。ベース体２０の上面２０ａに設けられる多数の凸状嵌着部２１は、横方向、縦方向に等間隔で並び、全体として規則的なマトリクス状に配列される。各電装部品４０の本体部４１の底面４１ａには、凸状嵌着部２１に嵌合的な凹形状の嵌着対応部４５が形成される。各電装部品４０の嵌着対応部４５のすべてをベース体２０の凸状嵌着部２１にそれぞれ嵌合することで、電装部品４０が、水平方向において、凸状嵌着部２１の配列間隔に応じた任意の位置でベース体２０に対して嵌着固定され、それにより、電装部品４０の水平方向における位置及び向きが規定される。【選択図】図２
2010062423.tif 000002
【特許請求の範囲】
【請求項１】
パネル板に、操作される機能または情報を表示する機能を備えるパネル電装部品が複数配設される電子機器のパネル構造であって、
前記パネル板の下方に配設される基板と、
前記基板と前記前記パネル板との間において前記基板の上に固定され、上面に、多数の嵌着部が、交差する２方向において等間隔なマトリクス状に設けられたベース体とを有し、
前記パネル電装部品の各々の底面には、前記ベース体の前記嵌着部に対して嵌合可能な嵌着対応部が、前記嵌着部と同じ配列間隔で複数形成され、
前記各パネル電装部品の前記複数の嵌着対応部のすべてを前記ベース体の嵌着部にそれぞれ嵌合することで、前記各パネル電装部品が、前記ベース体に平行な水平方向において、前記嵌着部の配列間隔に応じた任意の位置で前記ベース体に対して嵌着固定され、それにより、前記各パネル電装部品の、前記ベース体に対する水平方向における位置及び向きが規定されるように構成されたことを特徴とする電子機器のパネル構造。
【請求項２】
前記パネル電装部品の前記嵌着対応部及び前記ベース体の前記嵌着部にはそれぞれ電極部が設けられ、前記嵌着対応部と前記嵌着部とが嵌合されることで電気的に導通するように構成されたことを特徴とする請求項１記載の電子機器のパネル構造。
【発明の詳細な説明】
【技術分野】
【０００１】
本発明は、操作子や表示部等のパネル電装部品がパネルに配設される電子機器のパネル構造に関する。
【背景技術】
【０００２】
従来、操作される機能を有する操作子や情報を表示する機能を備える表示部等のパネル電装部品がパネルに配設された電子機器が知られている。この種の電子機器で採用されるパネル構造では、通常、パネルの下の基板にパネル電装部品が配設固定される。
【０００３】
例えば、下記特許文献１のパネル構造においては、電装部品のシャーシに、基板に対する取付部を有する折曲可能な保持脚を形成し、上記取付部を基板の取付穴に取り付けるように構成されている。
【特許文献１】実開昭５４−１０２６４１号公報
【発明の開示】
【発明が解決しようとする課題】
【０００４】
しかしながら、上記特許文献１のパネル構造では、基板には、電装部品を取り付けるための取付穴が形成され、電装部品は、予め定められた箇所にしか取り付けることができない。従って、基板に対する電装部品の配列の自由度はない。そのため、異機種を製造する場合は、基板を機種ごとに設ける必要がある。
【０００５】
また、電装部品を基板に固定する際には、取付部と取付穴との対応関係を各電装部品それぞれについて意識して合わせなければならず、多くの種類の電装部品が配設される場合は、配設位置や向きを各々合わせるのが煩雑である。また、個々の電装部品の配線についても考慮して設計するのが望ましい。
【０００６】
本発明は上記従来技術の問題を解決するためになされたものであり、その目的は、パネル電装部品の位置及び向きの規定が簡単且つ正確に行えると共に、パネル電装部品の配列の自由度を高めて、機種による基板及びパネル電装部品の共用化を容易にすることができる電子機器のパネル構造を提供することにある。
【課題を解決するための手段】
【０００７】
上記目的を達成するために本発明の請求項１の電子機器のパネル構造は、パネル板に、操作される機能または情報を表示する機能を備えるパネル電装部品が複数配設される電子機器のパネル構造であって、前記パネル板（１０）の下方に配設される基板（３０）と、前記基板と前記前記パネル板との間において前記基板の上に固定され、上面（２０ａ）に、多数の嵌着部（２１）が、交差する２方向において等間隔なマトリクス状に設けられたベース体（２０）とを有し、前記パネル電装部品（４０）の各々の底面（４１ａ）には、前記ベース体の前記嵌着部に対して嵌合可能な嵌着対応部（４５）が、前記嵌着部と同じ配列間隔で複数形成され、前記各パネル電装部品の前記複数の嵌着対応部のすべてを前記ベース体の嵌着部にそれぞれ嵌合することで、前記各パネル電装部品が、前記ベース体に平行な水平方向において、前記嵌着部の配列間隔に応じた任意の位置で前記ベース体に対して嵌着固定され、それにより、前記各パネル電装部品の、前記ベース体に対する水平方向における位置及び向きが規定されるように構成されたことを特徴とする。
【０００８】
好ましくは、前記パネル電装部品の前記嵌着対応部及び前記ベース体の前記嵌着部にはそれぞれ電極部（４６、２４）が設けられ、前記嵌着対応部と前記嵌着部とが嵌合されることで電気的に導通するように構成される（請求項２）。
【０００９】
好ましくは、請求項１において、前記パネル電装部品の各々の少なくとも一側面（４１ｂ１、４１ｂ３）には嵌合部（４７、４９）が設けられると共に、前記一側面の反対側の側面である他側面（４１ｂ２、４１ｂ４）には、前記嵌合部に対して嵌合的な形状の嵌合対応部（４８、５０）が設けられ、前記パネル電装部品同士の前記一側面の前記嵌合部と前記他側面の前記嵌合対応部とを嵌合することで、前記パネル電装部品同士が連結状態になるように構成される。これによれば、複数のパネル電装部品を一まとめにして扱えるようにして、ベース体に配設する作業を容易にすることができる。
【００１０】
さらに好ましくは、前記パネル電装部品の前記嵌合部及び前記嵌合対応部にはそれぞれ電極部（５１、５２）が設けられ、前記嵌合部と前記嵌合対応部とが嵌合されることで電気的に導通するように構成される。これによれば、各パネル電装部品の配線上の煩雑さを抑制し、パネル電装部品の配列の自由度を高めることができる。
【００１１】
なお、上記括弧内の符号は例示である。
【発明の効果】
【００１２】
本発明の請求項１によれば、パネル電装部品の位置及び向きの規定が簡単且つ正確に行えると共に、パネル電装部品の配列の自由度を高めて、機種による基板及びパネル電装部品の共用化を容易にすることができる。
【００１３】
請求項２によれば、各パネル電装部品の配線上の煩雑さを抑制し、パネル電装部品の配列の自由度を高めることができる。
【発明を実施するための最良の形態】
【００１４】
以下、本発明の実施の形態を図面を参照して説明する。
【００１５】
（第１の実施の形態）
図１（ａ）は、本発明の第１の実施の形態に係るパネル構造が適用される電子機器のパネル面の一部を正面からみた平面図である。
【００１６】
この電子機器は、パネル板１０を有し、パネル板１０の裏側に、複数の電装部品４０（４０Ａ、４０Ｂ、４０Ｃ）が配設される。電装部品４０は、操作される機能または情報を表示する機能の少なくとも一方を備えるものである。情報は、発光と非発光のみによるものでもよい。図示して例示した電装部品４０は、操作部４２と、ＬＥＤでなる表示部４３とを有する。
【００１７】
各電装部品４０における操作部４２及び表示部４３の種類や数は問わない。例えば、電装部品４０Ａの操作部４２は押下式であり、電装部品４０Ｂの操作部４２はスライド式であり、電装部品４０Ｃの操作部４２は回転式である。また、電装部品４０Ａ、４０Ｂの表示部４３は単一であるが、電装部品４０Ｃの表示部４３は複数のＬＥＤが直列配列されたインジケータ型となっている。また、電装部品４０が備えるものは、操作部４２のみ、または表示部４３のみであってもよい。
【００１８】
電子機器として、本実施の形態では電子楽器、ミキサ装置を想定するが、その種類は問わず、音響機器にも限定されない。パネル板１０の表側に操作部が露出し、あるいは表示部が視認可能に位置するような電装部品４０が設けられる機器であればよい。
【００１９】
また、本実施の形態では、パネル板１０の上面であるパネル面１０ａが上方を向いているとし、パネル面１０ａが表側となる。しかし、これに限られず、パネル面１０ａが向く方向は問わない。ただし、説明の都合上、以降は、上下関係について、パネル面１０ａが上方を向いているとして説明する。
【００２０】
図１（ｂ）は、パネル板１０の部分平面図である。図２（ａ）は、本パネル構造の分解図であり、本電子機器のパネル面１０ａに垂直な縦断面に沿う模式図である。図２（ｂ）は、本パネル構造の組み付け状態における模式的な縦断面図である。図３は、本パネル構造の模式的な拡大分解断面図である。
【００２１】
図２（ａ）、（ｂ）、図３に示すように、本パネル構造において、パネル板１０の下方に板状のベース体２０が配設され、ベース体２０の下方に基板３０が配設される。図１（ｂ）、図２（ａ）、図３に示すように、パネル板１０には、電装部品４０における操作部４２及び表示部４３に対応して、穴である窓部１０ｂが複数形成されている。各電装部品４０は、それぞれの操作部４２及び表示部４３が、対応するパネル板１０の窓部１０ｂから突出乃至露出するように、パネル板１０とベース体２０との間に配設される。窓部１０ｂは、表示部４３に対応するものについては、貫通穴に透明部材を設けて構成してもよい。パネル板１０は、アルミニウム等の金属製で、ベース体２０、基板３０は例えば樹脂製である。
【００２２】
図２（ａ）に示すように、基板３０の上面には、接続部３２が適所に複数設けられている。図３に示すように、接続部３２の上端には、電極部３３が２つ設けられ、これら電極部３３に接続された配線２５が基板３０内を通って基板３０の下面側に導出されている。
【００２３】
ベース体２０の下面２０ｂには、基板３０の接続部３２に対応して接続対応部２２が設けられている。接続対応部２２には、接続部３２の電極部３３に対応する電極部２６が設けられる（図３参照）。接続対応部２２と接続部３２とは、ベース体２０と基板３０との水平方向（ベース体２０の上面２０ａに平行な方向）における位置決め機能を果たす。それと共に、接続対応部２２と接続部３２とが嵌合されて接続されると、電極部２６と電極部３３とが当接して、電気的に導通状態となる。
【００２４】
ベース体２０の下面２０ｂにはまた、ベース体２０が基板３０に取り付けされるための取付ボス２３が形成されている（図２（ａ）参照）。基板３０の、取付ボス２３に対応する位置には、貫通した不図示の取り付け穴が形成されている。接続対応部２２と接続部３２とを嵌合すると共に、上記取り付け穴を介してネジ３１を下方から取付ボス２３に螺合することで、ベース体２０と基板３０とが固定される。
【００２５】
図４（ａ）、（ｂ）は、それぞれ、ベース体２０の部分平面図、部分斜視図である。図３、図４（ａ）、（ｂ）に示すように、ベース体２０の上面２０ａには、上方に突起した多数の凸状嵌着部２１が設けられている。凸状嵌着部２１は、図４（ａ）の横方向及び縦方向のそれぞれにおいて直列に等間隔で並び、全体として規則的なマトリクス状に配列されている。各凸状嵌着部２１は同一構成であり、断面円形であるが、この断面形状に限るものではない。接続対応部２２、取付ボス２３、凸状嵌着部２１は、ベース体２０と一体に形成されていてもよい。
【００２６】
図３に示すように、各凸状嵌着部２１の上端には、電極部２４が設けられ、電極部２４に接続された配線２５がベース体２０内を通って２つの電極部２６のいずれかに繋がっている。なお、電極部２４は、すべての凸状嵌着部２１において設ける必要はなく、本楽器の製造工程において、電装部品４０の後述する嵌着対応部４５（図５（ｂ）参照）が嵌合される可能性があるものにだけ設ければよい。
【００２７】
図５（ａ）は、色々な種類の電装部品４０の平面図、図５（ｂ）は、これら電装部品４０の裏面図である。各電装部品４０は、上記した操作部４２及び表示部４３が本体部４１の上側に設けられてなる。電装部品４０Ｂについては、操作部４２のサイズがパネル板１０の窓部１０ｂよりも大きいため、後付けで設けられる。すなわち、電装部品４０Ｂの本体部４１には操作部装着部４４が設けられる（図３参照）。そして、ベース体２０に電装部品４０Ｂの本体部４１が配設され、相対的に上方からパネル板１０が被せられた後に、操作部４２がパネル面１０ａの側から操作部装着部４４に装着される。
【００２８】
図３、図５（ｂ）に示すように、各電装部品４０の本体部４１の底面４１ａには、凸状嵌着部２１に嵌合的な凹形状の嵌着対応部４５が複数形成されている。嵌着対応部４５内には、電極部４５が形成されている（図３参照）。嵌着対応部４５とベース体２０の凸状嵌着部２１とが嵌合されると、嵌着対応部４５の電極部４６と凸状嵌着部２１の電極部２４とが当接して、電気的に導通状態となる。
【００２９】
ところで、各電装部品４０において、設けられる嵌着対応部４５は、最低２個であり、それらの配列パターンは、凸状嵌着部２１と同じである。すなわち、隣接する嵌着対応部４５の間隔は、隣接する凸状嵌着部２１の間隔と同じであり、嵌着対応部４５の配列方向は、凸状嵌着部２１と同様に、互いに直交する２方向である。例えば、電装部品４０Ａ、４０Ｂ、４０Ｃでは、嵌着対応部４５の数が、図５（ｂ）の横×縦方向において、それぞれ、２×３、２×４、２×６である。なお、嵌着対応部４５の数は、飛び飛び（歯抜け）にならないようにすればよく、奇数でもよい。
【００３０】
また、各電装部品４０の本体部４１の図５（ｂ）でいう横、縦の各寸法は、それぞれ横、縦方向における嵌着対応部４５の数に比例している。電装部品４０の本体部４１の平面視における外郭形状については、本実施の形態では、矩形の３種類を例示するが、これらのみに限られない。第１の電装部品４０の嵌着対応部４５が嵌合されている凸状嵌着部２１に隣接する凸状嵌着部２１に、第２の電装部品４０の嵌着対応部４５を嵌合して両電装部品４０を隣接配置する場合に本体部４１同士が干渉しないように、両電装部品４０の本体部４１の外郭形状を構成すればよい。例えば、本実施の形態では、図４（ａ）に示すように、電装部品４０Ｂと電装部品４０Ｃとを横方向に隣接配置したとき、側面同士が近接乃至当接するが、干渉することはない。縦方向についても同様である。
【００３１】
電装部品４０をベース体２０に装着するには、その嵌着対応部４５のすべてを、凸状嵌着部２１の位置に合わせ、上から押し込んで嵌着する（図４（ａ）も参照）。嵌着対応部４５と凸状嵌着部２１の配列間隔が同じであるので、図４（ａ）の横方向、縦方向のいずれの方向に対しても、嵌着対応部４５を嵌合する凸状嵌着部２１を１個単位でずらすことができる。従って、凸状嵌着部２１の配列間隔に応じた任意の位置を選択して、各電装部品４０をベース体２０に対して嵌着固定することができる。
【００３２】
電装部品４０の水平方向における位置は、嵌着対応部４５と凸状嵌着部２１との嵌合関係によって決まり、凸状嵌着部２１の配列間隔に応じた位置以外とはならないので、正確に定まる。しかも、凸状嵌着部２１と嵌着対応部４５とは、複数同士が嵌合されるので、ベース体２０に対する水平方向における電装部品４０の向きも、４方向のいずれかに正確に規定される。
【００３３】
図２（ａ）、図３に示すように、パネル板１０の裏面１０ｃには、ボス１１が複数の適所に設けられる。ボス１１の下面には、ベース体２０の凸状嵌着部２１に対して嵌合的な形状の嵌合穴１２が形成されている。ボス１１の嵌合穴１２に、凸状嵌着部２１のうち定められたものを嵌合することで、パネル板１０に対するベース体２０の水平方向の位置が規定されると共に、パネル板１０とベース体２０とが仮固定される。さらに、パネル板１０とベース体２０とは、不図示のネジで螺着固定される。
【００３４】
本楽器のパネル構造部分の組み付け工程について説明する。まず、図２（ａ）、（ｂ）に示すように、ベース体２０に対する電装部品４０の配設予定位置に従って、ベース体２０の凸状嵌着部２１のうち該当するものに、各電装部品４０の嵌着対応部４５をそれぞれ嵌合し、ベース体２０に電装部品４０を配設固定する。次に、このベース体２０の接続対応部２２を基板３０の接続部３２に嵌合すると共に、下方からネジ３１でベース体２０の取付ボス２３に基板３０を螺着固定する。
【００３５】
次に、パネル板１０の裏面１０ｃの側から、基板３０、ベース体２０及び電装部品４０が組み付けられたものを近づけ、電装部品４０の操作部４２、表示部４３、操作部装着部４４の各位置を、予定の窓部１０ｂに対して合わせ、それらのうち貫通させるべきものは貫通させる。それと並行して、ボス１１の嵌合穴１２に、定められた凸状嵌着部２１を嵌合する。電装部品４０Ｂについては、パネル面１０ａから突出した操作部装着部４４に対して、パネル面１０ａの側から操作部４２を装着する。
【００３６】
本実施の形態によれば、ベース体２０の凸状嵌着部２１と電装部品４０の嵌着対応部４５との嵌合により、ベース体２０に対する電装部品４０の水平方向における位置及び向きが正確に規定される。従って、電装部品４０の位置及び向きの規定が簡単且つ正確に行える。また、凸状嵌着部２１と嵌着対応部４５との嵌合関係は、凸状嵌着部２１の配列間隔を単位として縦または横方向に変位させて選択できるので、電装部品４０の配列の自由度が高い。そのため、例えば、同じ基板３０を用いて異なる機種の楽器を製造するのが容易となる。また、電装部品４０についても、同じ構成のものを、異なる機種に用いて異なる位置に配設可能である。従って、基板３０及び電装部品４０の共用化が容易になり、異機種の製造における部品点数の削減やコスト低減が実現される。
【００３７】
さらに、嵌着対応部４５と凸状嵌着部２１との嵌合により、電極部４６と電極部２４とが当接して電気的に導通状態となるので（図３参照）、各電装部品４０の配線上の煩雑さを抑制し、電装部品４０の配列の自由度を高めることに寄与する。
【００３８】
なお、嵌着対応部４５と凸状嵌着部２１とは、凹凸関係を逆にしてもよい。また、例示したような嵌合形状に限られず、嵌合関係にあれば、形状は問わない。
【００３９】
なお、凸状嵌着部２１の配列は、マトリクス状であるが、等間隔で配列される方向は、縦と横のように直行に限られず、交差していればよい。
【００４０】
（第２の実施の形態）
本発明の第２の実施の形態に係るパネル構造は、電装部品４０の構成が第１の実施の形態のものと異なり、その他の構成は第１の実施の形態と同様である。
【００４１】
図６（ａ）は、第２の実施の形態における複数の電装部品４０の模式的な平面図である。本実施の形態では、電装部品４０について３種類を例示し、第１の実施の形態のものと区別して、電装部品４０Ｄ、４０Ｅ、４０Ｆと記す。図６（ｂ）、（ｃ）は、それぞれ電装部品４０Ｆ、４０Ｄの斜視図である。電装部品４０Ｅについては、電装部品４０Ｄに対して操作部４２の形状が異なるのみであるので、斜視図の図示及び構成説明を省略する。
【００４２】
電装部品４０Ｄ、４０Ｅ、４０Ｆは、本体部４１の形状が第１の実施の形態の電装部品４０と異なり、その他の部分は同様である。電装部品４０Ｄ、４０Ｅ、４０Ｆにおいては、第１の実施の形態と同様に表示部４３が設けられてもよい。また、本体部４１の縦横のサイズについても、各種のものが採用可能である点は第１の実施の形態と同様である。
【００４３】
本体部４１の底面４１ａには、嵌着対応部４５（図３、図５（ｂ）参照）が同様に形成されている（図示せず）。横方向において、電装部品４０Ｄ、４０Ｅ、４０Ｆの側面４１ｂ１には、凹状嵌合部４７が設けられ、側面４１ｂ１の反対側の側面４１ｂ２には、凹状嵌合部４７に対して嵌合的な形状の凸状嵌合対応部４８が設けられている。縦方向においても同様に、電装部品４０Ｄ、４０Ｅ、４０Ｆの側面４１ｂ３には、凹状嵌合部４９が設けられ、側面４１ｂ３の反対側の側面４１ｂ４には、凹状嵌合部４９に対して嵌合的な形状の凸状嵌合対応部５０が設けられている。
【００４４】
凹状嵌合部４７、４９、凸状嵌合対応部４８、５０は、各側面において、底面４１ａに設けられる嵌着対応部４５（図３、図５（ｂ）参照）の、横方向（図６（ａ）の左右方向）、縦方向（図６（ａ）の上下方向）の数にそれぞれ比例した数だけ設けられる。例えば、嵌着対応部４５の数は、横×縦において、電装部品４０Ｄ、４０Ｅでは、２×３であり、電装部品４０Ｆでは、２×６であるとする。
【００４５】
従って、横方向においては、嵌着対応部４５が２個につき、凸状嵌合対応部４８、５０が１つ設けられる。また、縦方向においては、嵌着対応部４５が３個につき、凹状嵌合部４７、４９が１つ設けられる。電装部品４０Ｆのように縦に長いものでは、側面４１ｂ１に凹状嵌合部４７が２個以上形成されることになる。ただし、これらは例示であり、嵌着対応部４５の整数個につき凹状嵌合部４７、４９、凸状嵌合対応部４８、５０が１つ設けられるように構成すればよい。
【００４６】
図６（ｂ）、（ｃ）に示すように、凹状嵌合部４７には、電極部５１が２つずつ設けられる。凹状嵌合部４９においても図示はしないが同様である。凸状嵌合対応部５０には、電極部５２が２つずつ設けられる。凸状嵌合対応部４８においても図示はしないが同様である。
【００４７】
かかる構成において、電装部品４０をベース体２０に装着する際には、電装部品４０を個々に装着してもよいが、本実施の形態では、隣接配置される予定の複数の電装部品４０を、予め連結してから一斉に装着する。すなわち、図６（ａ）に示すように、横方向においては、左側の電装部品４０の凸状嵌合対応部４８と右側の電装部品４０の凹状嵌合部４７とを嵌合して両者を連結する。縦方向においては、図６（ａ）でいう下側の電装部品４０の凹状嵌合部４９と上側の電装部品４０の凸状嵌合対応部５０とを嵌合する。これを、縦横に隣接する電装部品４０について行うと、それらが連結状態となって、一まとめに扱えるようになる。
【００４８】
ここで、凹状嵌合部４７、４９、凸状嵌合対応部４８、５０を嵌合し、連結した状態では、嵌着対応部４５の配列パターンは、隣接する複数の電装部品４０に亘って、ベース体２０の凸状嵌着部２１の配列パターンと同じようになるものとする。
【００４９】
その後、一まとめとなった電装部品４０の嵌着対応部４５をベース体２０の凸状嵌着部２１にそれぞれ嵌合することで、すべての電装部品４０をベース体２０に装着する。凹状嵌合部４７と凸状嵌合対応部４８の嵌合により、横方向に隣接する電装部品４０の電極部５１、５２が当接し、電気的に導通する。同様に、凹状嵌合部４９と凸状嵌合対応部５０との嵌合により、縦方向に隣接する電装部品４０の電極部５１、５２が当接し、電気的に導通する。
【００５０】
連結されている電装部品４０同士は、電気的に導通するので、それらのうち１つの電装部品４０における嵌着対応部４５の電極部４６（図３参照）だけを、基板３０との導通に用いればよい。従って、複数の電装部品４０の配列が決まっていれば、基板３０との導通に用いられる電装部品４０だけに電極部４６を設け、その他の電装部品４０については電極部４６を廃止してもよい。
【００５１】
本実施の形態によれば、第１の実施の形態と同様の効果を奏するだけでなく、複数の電装部品４０を一まとめにして扱えるようにして、ベース体２０に配設する作業を容易にすることができる。
【００５２】
また、凹状嵌合部４７、４９、凸状嵌合対応部４８、５０の嵌合によって、隣接する電装部品４０同士が電気的にも接続されるので、電装部品４０の配線上の煩雑さを抑制し、電装部品４０の配列の自由度を高めることができる。
【００５３】
なお、第１、第２の実施の形態において、構成を簡単にする観点からは、電極部２４、４６（図３参照）及び／又は電極部５１、５２を廃止し、配線については、各電装部品４０をベース体２０に配設した後に、別途の作業として行うようにしてもよい。
【００５４】
特に、第２の実施の形態においては、電極部５１、５２を廃止し、凹状嵌合部４７、４９、凸状嵌合対応部４８、５０の嵌合による連結機能だけを確保するようにしてもよい。
【００５５】
なお、第１、第２の実施の形態において、ベース体２０において、互いに交差する２方向（縦方向、横方向）における凸状嵌着部２１の配列間隔は同一としたが、異なっていてもよい。
【図面の簡単な説明】
【００５６】
【図１】本発明の第１の実施の形態に係るパネル構造が適用される電子機器のパネル面の一部を正面からみた平面図（図（ａ））、パネル板の部分平面図（図（ｂ））である。
【図２】本パネル構造の分解図であり、本電子機器のパネル面に垂直な縦断面に沿う模式図（図（ａ））、本パネル構造の組み付け状態における模式的な縦断面図（図（ｂ））である。
【図３】本パネル構造の模式的な拡大分解断面図である。
【図４】ベース体の部分平面図（図（ａ））、部分斜視図（図（ｂ））である。
【図５】色々な種類の電装部品の平面図（図（ａ））、これら電装部品の裏面図（図（ｂ））である。
【図６】第２の実施の形態における複数の電装部品の模式的な平面図（図（ａ））、電装部品の斜視図（図（ｂ）、（ｃ））である。
【符号の説明】
【００５７】
１０  パネル板、  ２０  ベース体、  ２０ａ  上面、  ２１  凸状嵌着部、  ２４、４６、５１、５２  電極部、  ３０  基板、  ４０  電装部品（パネル電装部品）、  ４１  本体部、  ４１ａ  底面、  ４１ｂ１、４１ｂ３  側面（一側面）、  ４１ｂ２、４１ｂ４  側面（他側面）、  ４５  嵌着対応部、  ４７、４９  凹状嵌合部、  ４８、５０  凸状嵌合対応部
【図１】
2010062423.tif 000003
【図２】
2010062423.tif 000004
【図３】
2010062423.tif 000005
【図４】
2010062423.tif 000006
【図５】
2010062423.tif 000007
【図６】
2010062423.tif 000008